【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられていることを特徴とする一缶二水路給湯器。
【請求項２】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられていることを特徴とする一缶二水路給湯器。
【請求項３】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中における給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられていることを特徴とする一缶二水路給湯器。
【請求項４】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中の給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられていることを特徴とする一缶二水路給湯器。
【請求項５】
湯温データの時間的変化の基準パターンは温度の周期的な変化パターンによって与えられ、非給湯側単独運転異常判断部は検出湯温データの時間的な変化パターンの波形の振幅が前記基準パターンの振幅から予め定められた許容範囲を越えて異なるときに非給湯側異常信号を出力することを特徴とする請求項１又は請求項２記載の一缶二水路給湯器。
【請求項６】
湯温データの時間的変化の基準パターンは温度の周期的な変化パターンによって与えられ、非給湯側単独運転異常判断部は検出湯温データの時間的な変化パターンの波形の周期が前記基準パターンの周期から予め定められた許容範囲を越えて異なるときに非給湯側異常信号を出力することを特徴とする請求項１又は請求項２記載の一缶二水路給湯器。
【請求項７】
湯温データの時間的変化の基準パターンは温度の周期的な変化パターンによって与えられ、非給湯側単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに非給湯側異常信号を出力することを特徴とする請求項１又は請求項２記載の一缶二水路給湯器。
【請求項８】
非給湯側単独運転異常判断部から非給湯側異常信号が出力されたときに非給湯側単独運転を強制的に停止させる非給湯側強制停止手段が設けられていることを特徴とする請求項１又は請求項２又は請求項５乃至請求項７のいずれか１つに記載の一缶二水路給湯器。
【請求項９】
非給湯側単独運転異常判断部から非給湯側異常信号が出力されたときに非給湯側の運転の異常を報知する非給湯側異常報知手段が設けられていることを特徴とする請求項１又は請求項２又は請求項５乃至請求項８のいずれか１つに記載の一缶二水路給湯器。
【請求項１０】
湯温データの時間的変化の基準パターンは温度の周期的な変化パターンによって与えられ、追い焚き単独運転異常判断部は検出湯温データの時間的な変化パターンの波形の振幅が前記基準パターンの振幅から予め定められた許容範囲を越えて異なるときに追い焚き異常信号を出力することを特徴とする請求項３又は請求項４記載の一缶二水路給湯器。
【請求項１１】
湯温データの時間的変化の基準パターンは温度の周期的な変化パターンによって与えられ、追い焚き単独運転異常判断部は検出湯温データの時間的な変化パターンの波形の周期が前記基準パターンの周期から予め定められた許容範囲を越えて異なるときに追い焚き異常信号を出力することを特徴とする請求項３又は請求項４記載の一缶二水路給湯器。
【請求項１２】
湯温データの時間的変化の基準パターンは温度の周期的な変化パターンによって与えられ、追い焚き単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに追い焚き異常信号を出力することを特徴とする請求項３又は請求項４記載の一缶二水路給湯器。
【請求項１３】
追い焚き単独運転異常判断部から追い焚き異常信号が出力されたときに追い焚き運転を強制的に停止させる追い焚き強制停止手段が設けられていることを特徴とする請求項３又は請求項４又は請求項１０乃至請求項１２のいずれか１つに記載の一缶二水路給湯器。
【請求項１４】
追い焚き単独運転異常判断部から追い焚き異常信号が出力されたときに追い焚き運転の異常を報知する追い焚き異常報知手段が設けられていることを特徴とする請求項３又は請求項４又は請求項１０乃至請求項１３のいずれか１つに記載の一缶二水路給湯器。
【手続補正２】
【補正対象書類名】明細書
【補正対象項目名】００２０
【補正方法】変更
【補正の内容】
【００２０】
【課題を解決するための手段】
上記目的を達成するために、本発明は次のような構成をもって課題を解決するための手段としている。すなわち、第１の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられている構成をもって課題を解決するための手段としている。
【手続補正３】
【補正対象書類名】明細書
【補正対象項目名】００２１
【補正方法】変更
【補正の内容】
【００２１】
また、第２の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられている構成をもって課題を解決するための手段としている。
【手続補正４】
【補正対象書類名】明細書
【補正対象項目名】００２２
【補正方法】変更
【補正の内容】
【００２２】
さらに、第３の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中における給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられている構成をもって課題を解決するための手段としている。
【手続補正５】
【補正対象書類名】明細書
【補正対象項目名】００２３
【補正方法】変更
【補正の内容】
【００２３】
さらに、第４の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中の給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられている構成をもって課題を解決するための手段としている。
【手続補正６】
【補正対象書類名】明細書
【補正対象項目名】００２４
【補正方法】変更
【補正の内容】
【００２４】
さらに、第５の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の振幅が前記基準パターンの振幅から予め定められた許容範囲を越えて異なるときに非給湯側異常信号を出力することを特徴として構成されている。
【手続補正７】
【補正対象書類名】明細書
【補正対象項目名】００２５
【補正方法】変更
【補正の内容】
【００２５】
さらに、第６の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の周期が前記基準パターンの周期から予め定められた許容範囲を越えて異なるときに非給湯側異常信号を出力することを特徴として構成されている。
【手続補正８】
【補正対象書類名】明細書
【補正対象項目名】００２６
【補正方法】変更
【補正の内容】
【００２６】
さらに、第７の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに非給湯側異常信号を出力することを特徴として構成されている。
【手続補正９】
【補正対象書類名】明細書
【補正対象項目名】００２７
【補正方法】変更
【補正の内容】
【００２７】
さらに、第８の発明は、前記第１又は第２の発明又は第５の発明乃至第７の発明のいずれか１つの構成に加え、非給湯側単独運転異常判断部から非給湯側異常信号が出力されたときに非給湯側単独運転を強制的に停止させる非給湯側強制停止手段が設けられている構成をもって課題を解決するための手段としている。
【手続補正１０】
【補正対象書類名】明細書
【補正対象項目名】００２９
【補正方法】変更
【補正の内容】
【００２９】
さらに、第１０の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の振幅が前記基準パターンの振幅から予め定められた許容範囲を越えて異なるときに追い焚き異常信号を出力することを特徴として構成されている。
【手続補正１１】
【補正対象書類名】明細書
【補正対象項目名】００３０
【補正方法】変更
【補正の内容】
【００３０】
さらに、第１１の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の周期が前記基準パターンの周期から予め定められた許容範囲を越えて異なるときに追い焚き異常信号を出力することを特徴として構成されている。
【手続補正１２】
【補正対象書類名】明細書
【補正対象項目名】００３１
【補正方法】変更
【補正の内容】
【００３１】
さらに、第１２の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに追い焚き異常信号を出力することを特徴として構成されている。
【手続補正１３】
【補正対象書類名】明細書
【補正対象項目名】００４２
【補正方法】変更
【補正の内容】
【００４２】
データ格納部４４には、バーナー燃焼を停止させる設定温度としてのオフ温度とバーナー燃焼を再開させる設定温度としてのオン温度が予め定められて格納されている。上記オフ温度は、例えば追い焚き単独運転中に給湯熱交換器３のピーク温度領域の滞留湯が沸騰に近い状態であることを示す予め定めた湯温（例えば、９０℃）である。上記オン温度は、上記オフ温度よりも予め定めた温度（例えば、３℃）分だけ低下させた湯温である。
【手続補正１４】
【補正対象書類名】明細書
【補正対象項目名】００７６
【補正方法】変更
【補正の内容】
【００７６】
さらに、本発明は一缶二水路風呂給湯器のみならず、給湯熱交換器と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている、例えば、図６に示すような給湯暖房機等の一缶二水路給湯器にも適用できる。なお、図６において、５１は非給湯側循環通路としての暖房用循環通路、５７は非給湯側熱交換器としての暖房用熱交換器を示しており、暖房用循環通路５１を循環する熱媒体としては、例えば、エチレングリコールとプロピレングリコールに水を加えたものが用いられる。また、図６の５２は暖房オン・オフバルブ、５３は放熱器、５４はファン、５５はシスターンタンク、５６はバイパス通路をそれぞれ示している。